(57)【要約】      （修正有）【課題】地震は水平方向を振動するばかりで無く、様々な振動をするが、建物の下部に減衰台を設け振動減衰することにより、大地震時の巨大エネルギーから建物を守るバネ‐スライド減衰台を提供する。【解決手段】建築物の下部に減衰台を敷き、上板１のみがスライドし水平振動のみを減衰する為の物であり、上板１、台板５の媒介にバネ６を多数垂直に並列させた構造としてバネ６の伸縮力によって振動減衰をし、スライド減衰台は縦振動と、横振動に分解して考慮し、横振動を上板１と滑り台の水平スライド部を設けて減衰するが、建物は数百トンの重さがある為、頑丈な構造でなければ成立せず、多少の歪も許さ無いことから、高層ビルに適応できる様に、全金属性にして、水平振動方向にスライド構造の滑り台を持つ台板５にし、更に全ての振動に耐え得るばかりで無く、油圧システム、油圧動力により元の位置への復元機能を持つ構造とする。【選択図】図３
2019019606.tif 000002
【特許請求の範囲】
【請求項１】
地震振動の減衰台において、建物底部に設けた上板1及びそれに固着した上板バネ受1a,1b,1c,1d・・と地面に接する台板5、台板バネ受7a,7b,7c,7d・・の間にバネ6a,6b,6c,6d・・を定常長さＬより長く、少なくとも一個以上連結し、上板1が台板5に設けた滑り台4a,4bの上を自在に水平方向スライド可能な構造とするバネ-スライド減衰台
【請求項２】
上記記載、滑り台4aのシリンダー固定部37、回転部38に設けた油圧シリンダー11a、他端はシリンダー自在取付具8a、首部10a、に嵌装するシリンダーピン9aを介し接続する上板引手2a、上板1が任意水平方向にスライドし、油圧シリンダー11aの油圧力によって復元可能な構造を持つ特許請求項第１項記載のバネ-スライド減衰台伸縮自在に
【請求項３】
上記記載、建物下部の油圧ポンプ16から滑り台4aの油圧シリンダー11a,11b,11c,11dに油圧を圧送又は逆送し、油圧チャンバー16a空気ボンベ22の蓄え圧力により上板1の地震振動がクッション減衰可能な構造を持つ特許請求項第１項記載のバネ-スライド減衰台
【請求項４】
上記記載の建築物底部の上板1 a,1b,1c.1d上板引手2に上板位置センサー13 a,13b,13c.13d・・、地盤に地震震度計14を備え、それら全ての情報をコンピユ―ター17に送信し分析した後、油圧ポンプ16、油圧チャンバー16a、空気ボンベ22、電磁弁集中操作器18aを使い、油圧シリンダー11a,11b,11c,11dを操作するシステムにおいて、上板1a,1b,1c・・郡を少なくとも1箇以上多数が同一方向、同一距離を移動減衰可能な特許請求項第１項記載のバネ-スライド減衰台
【請求項５】
地震の減衰台において、建物下部に固着した上板1、復元バネ固定軸29a  と地面に固着した台板5、滑り台4、復元バネ固定軸29bを設け、その間に復元バネ30a,30b,30c,30dを伸縮自在に挟み、上板1が滑り台4a,4bの上をスライド移動減衰して元の位置に復元する事が可能なバネ-スライド減衰台
【発明の詳細な説明】
【技術分野】
【０００１】
本発明は大地震の時、大振動の振幅を出来るだけ減衰する為に、建築物―基礎の下に作る減衰台が注目されている。近頃、大地震が頻発、耐震ビルでも次々と被害が拡大している。特に高層ビルに対する減衰台の必要性が言われている。
【背景技術】
【０００２】
今までは、耐地震用減衰台はほとんどゴム系の耐地震台である。ゴム系は耐久性が短く、巨大建築、高層ビルには全く対応出来ない。
本発明は重い荷重可能な金属バネを用い耐久性、減衰性を増した技術である。今までの減衰台の殆どは小型の住宅にしか適応出来ない。
【０００３】
なぜなら高層ビルの重さは数百トン〜千数百トンと桁外れの重さであり、東日本震災では垂直耐―引っ張り荷重の無いため、高層ビルそのものが横転する
ことが確認された。ゴム-スライド減衰台は、下方荷重には耐える事が出来るが、上方への引っ張り荷重へは対策が取られて居なかったからである。
【０００４】
大地震に絶対必要な条件は、水平、垂直だけで無く、下方への、数百トンの耐垂直、引っ張り能力が必要であるばかりで無く、スライド減衰台が垂直、水平の位置関係で元に戻る事である。本発明は上下垂直の位置関係は一切変わらなく、水平方向のみスライド移動する方法である。大地震時の巨大エネルギーから建物を守る方法は減衰台にて、横振動を減衰する為に上下垂直方向を無視して、水平方向の移動のみ考慮するし、必ず元の位置に復元可能な構造とする。
【発明の概要】
【発明が解決しようとする課題】
【０００５】
１）本発明は金属バネの減衰で振動には全体で垂直、上下数百トンの耐荷重が必要である。水平、垂直振動に対して数十年の耐用年数が必要である。
２）減衰台の振動を油圧シリンダーで減衰し、必ず元の位置に復元する事。
３）振動を油圧システムの逆止弁、チャンバー、エアータンクでクッション作用を利用して減衰しながら元の位置に復元する事。
４）各々の減衰台振動を平均化して、減衰台全体を一体化して減衰する。
５）振動をバネのみで減衰する、復元するのに金属バネのみで復元する減衰台とする。（油圧動力を必要としない）
【課題を解決するための手段】
【０００６】
１）全減衰台は全ての振動に対して、上下垂直、左右水平振動の２種類に分解し、上下縦荷重は横荷重の何倍も架かり、それに耐える構造にしなければならない。鉄板厚板構造とする必要がある。横揺れに耐久する為、上板1と滑り台4の間で、左右水平，任意方向にスライド可能とし、上板下部に段を４方向に配置し振動外れ止めとする。滑り台4は１０トン以上の耐荷重があるとし。減衰台は、横揺れ幅０．１〜０．５ｍ以下とし上板1、滑り台4などの十分な幅を持ち、スライド部にはゴミが入ら無い様にメンテナンス用グリス給油装置43を設け耐用年数の長いものとする。総合指令油圧システム部44、原動機29b自家発電機29aなどは常に自己保全が出来る様にする。
２）下部構造は正方形の台板5とし地盤とアンカーボルトを取れる形とする。
減衰台に油圧シリンダーを内蔵するが、その他の自家発電機、総合指令油圧システム部44か地下に装備する。上板、台板の上下間隔はスライド台幅の１/２以内とし、更にバネ6を垂直方向に引っ張り作用とする。
建物の地下にエンジン発電、油圧ポンプの動力を装備して、建物を元の位置に復元可能な馬力を装備する。
３）建築物を元の位置に復元するのに、巨大な力が必要であり。
これらのシステムは地震を解析し、揺れの方向によりスライド移動距離、方向を決めて対応し減衰していく。コンピユ―タ17が考慮の後に始動し減衰、復元するとする指示を油圧シリンダー11、油圧システムをエンジン動力により可動するシステムとする。更に油圧チャンバー、空気タンクを使用し
クッション作用、油圧逆止弁の半開きで減衰作用を利用する。
４）地震振動は必ず同じ方向、振動幅では無い、これをコンピユーターで計算油圧シリンダーの振幅を平均化し、数十台の油圧シリンダー11電磁操作弁14、を指示する事で建物全体を同じ振動方向、同じ周期で減衰することを可能とする。情報の伝達システムは
（１）
地震計  →発電機  →油圧ポンプ  →電磁弁集中操作器
地震計  →  コンピユ―タ→  電磁弁集中操作器→  各油圧シリンダー
（２）
シリンダー伸縮計  →  コンピユ―タ  →各油圧シリンダー
の２通りである
各電磁弁集中操作器18が減衰台Ａｓｓｙ25に１個ずつ設置されており
同じ方向に振動する様にシステム化されている、これにより全体の建物が
同じ方向、距離だけ振動する。
５）第３実施例の小型減衰台は、油圧、動力システムは存在しないので、減衰台、バネのみで地震に対応する。油圧シリンダーの換わりに復元バネ30が４個あり、バネ力で元の位置に復元する。第４実施例はバネ6のみで減衰し、
傾斜配置されたバネの振幅のみの振動減衰であり１６個あるバネ力で元の位置に復元する。
【発明を実施するための形態】
【０００７】
現在ゴム製の単純減衰台が販売されているが、ゴムの柔軟性に頼って上下振動を除いて左右、水平振動が大きい場合に、上下の高さの変化が存在する為に、高層ビルが傾く事になる。これは大きい建築物、ビルの場合は致命傷となる。更に長期間の耐久性が保証されない。その他の減衰台でも上下の高さの変化が存在する為に実用化出来ない物も多い。
【０００８】
実施例１）本発明の良い処は縦方向揺れを無視し、水平の振動を減衰出来るばかりで無く、垂直の高さ振動差が存在し無い為に、高層ビルが傾く事は無い。一定の高さが保たれるばかりで無く、垂直振動、上方向への数十トンの引っ張りにも耐える事ができる。建物の柱下部に減衰台を設定し上板1にボルト31で固着し、更に台板5も地盤にアンカーボルトで固着されている。全減衰台が油圧システムで結合され、同じ振動数で減衰する事が期待されている。
【０００９】
[構造]（図１〜１２）４方形（円柱形でも可）の上を上板1、下側を台板5として、その間鉄の滑り台摩擦部39のスライド接続部上を摺動する構造とし。その内部にバネ6a,バネ6b,バネ6c,バネ6d・・が上板、台板を垂直の引きつけ力により固定させる。結果水平の振動のみに収めた構造とした。（図１１、１２）上板バネ受け1a,1b,1c,1d台板バネ受7a,7b,7c,7dの間でバネ6の引きつけ状態とする。
【００１０】
バネ6の引き代は常に長さＬ（定常）より少し長く（ｌ）伸長する事で引きつけ状態（Ｌ１）とし、１７本のバネ6の合計引きつけ力を計算する。
（図１２）は最も伸長して（Ｌ２）の状態に伸びた図である。バネ6a、１個の引き付ける力が１トンとすれば    減衰台全体で１Ｘ１７本＝１７トン
の引き付け力となる。建物全体で（図１９を見て）１７Ｘ２０個＝３４０トン  
となる。
【００１１】
地震が来た時にＬ２迄伸長するが、これは制限棒45,46の最長-長さ迄であり、上板1の内側の段が当たる迄である。（図１１，１２）地震の時は上板1が大きくズレ動くが、上板の段の処で止まるが、地震の振幅はそれ以上の揺れをもたらすが。その反動で反対方向に大きくズレ動く、地震の終わり迄、この上板1a,1b,1c,1dと台板バネ受7a,7b,7c,7dの間バネ6の引きつけ力で元に復元するが、常に引きつけ状態である。
【００１２】
上下水平振動に耐える事で建築物が崩壊せずに存在する。垂直方向の振動を放棄し、水平振動のみに集約すると上下荷重が数百トンの荷重が集中するが、滑り台4a,4bの上部を上板1がスライドし減衰台が完成する。（図３、５）当然上板1の下部、滑り台4の上部、滑り台摩擦部39はスライド出来る様な材質にして、グリースを塗布、供給出来る様な構造として置く
【００１３】
（実可動の説明）今までの減衰台は全ての振動を減衰しようとして、大型の建築物に対応できなかった。それで水平、垂直と分離する事でどの建築物にも可能とする。更に建物の元位置への復元を、自然復元から油圧動力によって強制復元にする。ここで元の位置に戻るのは意外と難しい、何せ数百トンの荷重が架かるばかりで無く、バネ6a、6b,6c,6dが荷重を押し戻すには足りない。
【００１４】
地震による水平移動距離を、すぐに元の位置への復元が難しい。
地震計  →  コンピユ―タ→  電磁弁集中操作器→  各油圧シリンダー
これらの情報が以上の様に伝わり、地震の方向、大きさを分析し各シリンダーに指示が送られて少ししか逆らは無いで減衰効果を期待する。
地震振動計14、コンピユ―17のみバッテリー19で待機電力が作様し。地震が起きると、４本の油圧シリンダー11には原動機、発電機19a,19bが始動、油圧ポンプ16がすぐに可動する構造とする。
【００１５】
後に全油圧システム、油圧シリンダ―11a,11b,11c,11dが、可動し始める状態となるが、地震振動に対抗するより、建物全体の振動の調和、一体性を優先する。
これは建物を壊さ無い為であり、バネの復元、自然減衰が基本である。
【００１６】
コンピユ―タ17は油圧シリンダーの位置情報センサー12、地震振動計14ａから振幅情報を収集し、直ちに４本の油圧シリンダ11a,11b,11c,11dには油圧情報指令を送信し、その応答次第で電磁弁集中操作器18が減衰作用をする。
【００１７】
油圧シリンダー11a,11b,11c,11dには電磁弁集中操作器18の油圧逆止弁を半開放する事や、チャンバー16aの緩衝力でバネと同じ減衰作用を働かせる。
油圧逆止弁を半開放する事はとても大切で機器の損傷を無くし、緩衝力で減衰作用を働かせ、全システムの調和を持たせる。
【００１８】
長周期、直下型地震などの地震を解析し、元の位置に何度でも復元する必要がある。更にバネ6、は数十トンの復元力が存在するが、それで十分とはいえ無い、それを補う為に油圧シリンダー11a,11b,11c,11dは存在する。
【００１９】
（図２０を見て）各減衰台30には油圧チャンバー16a,16b,16c・・が油圧シリンダー11a,11b,11c,11dの背圧配管の中に組み込まれている、これは各々がクッションの役目を果たす為である。油圧チャンバー16a,16b,16c・・はスプリングの様な復元作用を、油圧の高低差、負圧、高圧で油圧シリンダーを水平にスライド移動する。油圧の電磁弁集中操作器18を調整する事で数百トンの力の出し入れができる。
【００２０】
ここで総合指令システム部44を建物地下に置き地震が発生するや、地震震度計14が感知すると、一斉に原動機19a,発電機19bが始動。
上板位置センサー13a,13b,13c、・・地震センサー14の情報がコンピユーター17に入るが、どうしてもコンピユーターには初期始動時間が足りないので、予め単純作動減衰システムを覚えさせておき作用する。
【００２１】
その後は全シリンダーの伸び代を計算し、滑り台2、位置センサー（滑り台）13の位置情報から出来るだけ、小さい振動で連続減衰する様にする。
コンピユーター17に上板1の単純な、元の位置への復元可能な様にするが、多分復元力が足り無く、中途半端なまま次の振動に対応する事になるが、チャンバー16の貯圧機能で水平スライド減衰台としての作用を期待している。
【００２２】
大切な事は大地震のエネルギーに、逆らはず、減衰する事である。大地震のエネルギーは巨大で逆らへ無い、本発明には長周期振動には十分対応可能と考えるが、ソフトの部分は省略する。ここで大地震の場合、振動幅がスライド幅を超えても、外れ無い様にバネ6の換わりに（図９〜１２）上板1、台板5を結ぶ（図１１）制限棒−メス45の内部に制限棒−オス46が装入されている。
【００２３】
制限棒45,46で伸びる長さの制限があり、上板1が外れて建物の倒壊を防ぐ為にある。制限棒-オス45,メス46を一ケ所、設けてあるが何本でも可能である。
制限棒-オス45メス46の上部は上板1に制限棒取付部47a,台板5に制限棒取付部47bで引き合う構造となる。バネ6a,6b,6cの換わりに図９に在る、バネ−制限棒-オス，メス45,46を何本か置き換える。
【００２４】
地震の振動幅がスライド幅を超える事は、よくある。超えてもそれ以下の振幅で減衰する方向で意義がある。地震の揺れ方向は予測不能であり、初期振動のもたつきは仕方がないが、何分か経過すると対応可能である。
崩壊の原因は殆ど初期振動の衝撃力である。
【００２５】
（図１９，２０）このシステムの良い処は全減衰台が地震の揺れ方向に、決めた距離だけ動く事である、これにより建物全体の崩壊を防ぐし、ショックが和らぐ複雑な地震振動を解析しながら、垂直方向の振動以外は何とか減衰可能である。建物の最大崩壊振動をどの様にやりすごすかが大切である。
【００２６】
第２実施例（図１３〜１５）は油圧シリンダー11の設置場所を台板５の４辺の中央に上板中央50、上板継部51を設置したものである。
油圧シリンダーを四方に向かって配置するのは、どっちの方向でも対処出来る様にする為である。地震の振動幅がスライド幅を超えても、減衰台が壊れなければ崩壊し無いし、何分か耐える力が在れば対応可能である。
【００２７】
上板中央50の下部に４本の油圧シリンダー11の先端シリンダー自在継部52が存在しピン9が嵌装され自由に動き復元作用を行う。
油圧シリンダー11、の４本の場所を変えるのは、バネ6が沢山設置できる様にする為であるが、いずれも油圧力で、元の位置に復元する為と減衰、緩衝の為である。更に斜め下向きに伸長する構造とするが、これはいつも上板1が外れ
無い様な形となる。
【００２８】
本発明の第１，２実施例（図１〜１５、２０〜２１）総合指令油圧システム部44は地下に備えて置く、その方が被害は少ない。ここに備えたエンジン19bは大馬力で強制終了するので無く、小馬力で地震が終了した後に、静かに復元する様なシステムを可能な物とする。
【００２９】
どんなシステムでも地震を抑える力は無く、以下に減衰するかである、常に
建物崩壊につながる地震の最大衝撃に耐える為に上板1をスライドして減衰作用を持つ事と、停電を常に考慮し自家発電で全システムを考慮する。
【００３０】
第３実施例（図１６、１７）は減衰台を小さくし、木造住宅に使用する為に、油圧シリンダー11a,11b,c,dの換わりに復元バネ30 a,30b,30c,30dを配置したものである。油圧システムを動かすのは動力が必要なため大きくなるが、金属バネ（コイルタイプ）を使用する事で元の位置へ復元する。油圧シリンダー11が無い為に、１個の幅が２０〜３０センチ四方、厚みが５〜１０センチ程度の大きさでも可能である。
【００３１】
この大きさだと、一機に安価に出来る。一般的な小住宅に最適であり、２０〜３０センチ四方程度の大きさで十分減衰台として実現可能である。この場合復元バネ30 の力をかなり大きく設定して置く、そうしないと元の位置に戻りえない。スライド減衰台の振動方向を同一体にする必要があるが、このタイプでは移動方向がバラバラとなるが、仕方がない。これらの場合地震振幅は２０センチ以下となる。
【００３２】
第４実施例（図１８、１９）は木造住宅に使用する為に、小型にしてバネ6a,6b,6c,6d・・を斜めに配置したものである。復元バネが無いため小さいが、斜め配置の為、バネ（コイルタイプ）１６本の復元作用がある。
【００３３】
上板バネ受け1a,1b・台板バネ受7a,7b・・の間で１６本のバネ6の引きつけ状態とする。バネ6の引き代は常に長さＬ（定常）より少し長く引きつけ状態（Ｌ１）とし、１６本の合計引きつけ力で減衰-復元作用を行う。
【００３４】
日本古来の小型住宅に地震対策として丁度良い。小型の住宅に７〜９個備えつける事で地震対策となる。第１，２実施例がかなりの価格になるが、第３、４実施例は５０分の１以下の価格となる。これは住宅を強固にするよりはるかに安価、安全な建物となる。
【図面の簡単な説明】
【００３５】
【図１】本発明の減衰台概略図
【図２】減衰台の上板1を除いた上面図
【図３】図２の側面図
【図４】上板1を除いた上面図（地震時
【図５】図４の側面図
【図６】上板1、台板5、滑り台4分解図
【図７】シリンダー取付部上面図
【図８】図７の側面図
【図９】制限棒オス、メスの構造
【図１０】制限棒の外観図
【図１１】図３のバネ6設置長さＬ１
【図１２】地震時の最大伸長（Ｌ２
【図１３】第２実施例の概略図
【図１４】第２実施例上面図
【図１５】図１４のＡ矢視図
【図１６】第３実施例上面図
【図１７】第３実施例側面図
【図１８】第４実施例上面図
【図１９】第４実施例中央断面図
【図２０】減衰台地震移動説明図
【図２１】全体図の地震移動図
【図２２】図２１を拡大した配置図
【符号の説明】
【００３６】
1・・・・・・上板                    1a,1b,1c.1d・・・上板バネ受
2a,2b・・・・上板引手                3a,3b・・・・・引手継部
4a,4b・・・・・・滑り台                5・・・・・・台板
6a,6b,6c,6d・・・・バネ                7 a,b,c,d・・・台板バネ受
8a,8b,8c,8d・・・シリンダ自在継部      9 a,9b・・・・シリンダーピン
10a,10b,10c,d・・シリンダー首部        11a,b,c.d・・・油圧シリンダー
12 a,b,c.d・・・シリンダー伸縮計        13 a,b,c.d・・・上板位置センサ
14・・・・・・地震振度計              15・・・・・・地震センサ（ビル側
16・・・・・・油圧ポンプ              16a・・・・・・チャンバー（空気圧
17・・・・・コンピユーター            18a,18b,18c・・・電磁弁集中操作器
19・・・・・バッテリー（定電圧）      19a・・・・・・・発電機
【００３７】
19b・・・・・原動機                  20・・・・・・減衰台Ａｓｓｙ
21・・・・・柱（セメント）            22・・・・・・空気ボンベ
23・・・・・地盤                      24・・・・・地震振幅方向  
26・・・・・軽油タンク                27・・・・・電気配線
28・・・・・電磁弁                    29a・・・・復元バネ固定軸（上板側
29b・・・復元バネ固定軸（基礎側        30・・・・・復元バネ
31・・・・固定ボルト                  32・・・・Ｌ（バネ定常長さ）
33・・・・Ｌ１（バネ設置長さ）        34・・・・Ｌ２（バネ最長長さ）
35・・・・Ｌ３（バネ最短長さ）        36a,b・・・・電気配線  
37・・・・シリンダー固定部            38・・・・シリンダー回転部
39・・・・滑り台摩擦部                40・・・・
41・・・減衰台中心（地震の移動前      42・・・・減衰台中心（地震移動後
43・・・・グリス給油装置              44・・・・総合指令油圧システム部
45・・・・・制限棒-オス                46・・・・制限棒-メス
47a，47b・・・制限棒取付部            50・・・・・上板中央
51・・・・・・・上板継部              52・・・・シリンダー自在継部
53 a,53b,53c・・・・・・・バネ        54・・・・・・上板段
【図１】
2019019606.tif 000003
【図２】
2019019606.tif 000004
【図３】
2019019606.tif 000005
【図４】
2019019606.tif 000006
【図５】
2019019606.tif 000007
【図６】
2019019606.tif 000008
【図７】
2019019606.tif 000009
【図８】
2019019606.tif 000010
【図９】
2019019606.tif 000011
【図１０】
2019019606.tif 000012
【図１１】
2019019606.tif 000013
【図１２】
2019019606.tif 000014
【図１３】
2019019606.tif 000015
【図１４】
2019019606.tif 000016
【図１５】
2019019606.tif 000017
【図１６】
2019019606.tif 000018
【図１７】
2019019606.tif 000019
【図１８】
2019019606.tif 000020
【図１９】
2019019606.tif 000021
【図２０】
2019019606.tif 000022
【図２１】
2019019606.tif 000023
【図２２】
2019019606.tif 000024
【手続補正書】
【提出日】平成30年8月21日(2018.8.21)
【手続補正１】
【補正対象書類名】特許請求の範囲
【補正対象項目名】全文
【補正方法】変更
【補正の内容】
【特許請求の範囲】
【請求項１】
地震振動の減衰台において、建物底部に設けた上板1、上板バネ受1a,1b,1c,1dと、地面に接する台板5、台板バネ受7a,7b,7c,7dの両者を水平スライド方向に対し垂直にバネ6a,6b,6c,6dを接続して、上板1が台板5に固着した滑り台4a,4bの上を自在に東西南北水平スライド減衰可能な構造とするバネ-スライド減衰台
【請求項２】
地震減衰台に設けた上板1の復元バネ固定軸29a,と台板5の復元バネ固定軸29bの両者の間に制限棒-オス45、制限棒取付部47ａと制限棒-メス46、制限棒取付部47ｂ、を嵌合組み合わせ接続して、全方向にスライド量を制限する特許請求第１項記載のバネ-スライド減衰台
【手続補正書】
【提出日】平成30年11月30日(2018.11.30)
【手続補正１】
【補正対象書類名】特許請求の範囲
【補正対象項目名】全文
【補正方法】変更
【補正の内容】
【特許請求の範囲】
【請求項１】
地震振動の減衰台において、地面に固着した台板5と、この台板5の対向する
上面に一体形成された上面に滑り台摩擦部39を有する一対の滑り台4a,4bと
前記台板5に前後左右にスライド移動出来る様に支持される建物の下部に固着
された上板1と、この上板の対向する下面に前記一対の滑り台4a,4bと隙間を
有するように一体形成された一対の引き手継ぎ部3a,3bと、一端部が前記上板
1の一対の引手継部3a,3bにそれぞれ水平方向に回動可能に取付けられ、他端
部が前記台板5の一対の滑り台4a,4bにそれぞれ水平方向に回動可能に取付け
られた二対の油圧シリンダ―11a,11b、11c,11dと前記台板5の上面と前記上板
1の下面との間に取付けられた減衰用の複数個のバネ6とから成る事を特微と
するスライド減衰台
【手続補正３】
【補正対象書類名】明細書
【補正対象項目名】０００６
【補正方法】変更
【補正の内容】
【０００６】
１)地面に固着した台板5と、この台板5の対向する上面に一体形成された上面に
滑り台摩擦部39を有する一対の滑り台4a,4bと前記台板5にスライド移動出
来る様に支持される建物の下部に固着された上板1と、この上板の対向する
下面に前記一対の滑り台4a,4bと隙間を有する様に一体形成された一対の引
手継部3a,3bと、一端部が前記上板1の一対の引手継部3a,3bにそれぞれ
水平方向に回動可能取付けられ、他端部が前記台板5の一対の滑り台4a,4bに
水平方向に回動可能取付けられ、二対の油圧シリンダ―11a,11b、11c,11dと前
記台板5の上面と前記上板1の下面との間に取付けられた減衰用の複数個のバ
ネ6とから成る事を特微とするスライド減衰台
全減衰台は全ての振動に対して、上下垂直、左右水平振動の２種類に分解し、上下縦荷重は横荷重の何倍も架かり、それに耐える構造にしなければならない。鉄板厚板構造とする必要がある。横揺れに耐久する為、上板1と滑り台4の間で、左右水平，任意方向にスライド可能とし、上板下部に段を４方向に配置し振動外れ止めとする。滑り台4は１０トン以上の耐荷重があるとし。減衰台は、横揺れ幅０．１〜０．５ｍ以下とし上板1、滑り台4などの十分な幅を持ち、スライド部にはゴミが入ら無い様にメンテナンス用グリス給油装置43を設け耐用年数の長いものとする。総合指令油圧システム部44、原動機29b自家発電機29aなどは常に自己保全が出来る様にする。
２）下部構造は正方形の台板5とし地盤とアンカーボルトを取れる形とする。
減衰台に油圧シリンダーを内蔵するが、その他の自家発電機、総合指令油圧システム部44か地下に装備する。上板、台板の上下間隔はスライド台幅の１/２以内とし、更にバネ6を垂直方向に引っ張り作用とする。
建物の地下にエンジン発電、油圧ポンプの動力を装備して、建物を元の位置に復元可能な馬力を装備する。
３）建築物を元の位置に復元するのに、巨大な力が必要であり。
これらのシステムは地震を解析し、揺れの方向によりスライド移動距離、方向を決めて対応し減衰していく。コンピユ―タ17が考慮の後に始動し減衰、復元するとする指示を油圧シリンダー11、油圧システムをエンジン動力により可動するシステムとする。更に油圧チャンバー、空気タンクを使用し
クッション作用、油圧逆止弁の半開きで減衰作用を利用する。
４）地震振動は必ず同じ方向、振動幅では無い、これをコンピユーターで計算油圧シリンダーの振幅を平均化し、数十台の油圧シリンダー11電磁操作弁14、を指示する事で建物全体を同じ振動方向、同じ周期で減衰することを可能とする。情報の伝達システムは
（１）
地震計  →発電機  →油圧ポンプ  →電磁弁集中操作器
地震計  →  コンピユ―タ→  電磁弁集中操作器→  各油圧シリンダー
（２）
シリンダー伸縮計  →  コンピユ―タ  →各油圧シリンダー
の２通りである
各電磁弁集中操作器18が減衰台Ａｓｓｙ25に１個ずつ設置されており
同じ方向に振動する様にシステム化されている、これにより全体の建物が
同じ方向、距離だけ振動する。
５）第３実施例の小型減衰台は、油圧、動力システムは存在しないので、減衰台、バネのみで地震に対応する。油圧シリンダーの換わりに復元バネ30が４個あり、バネ力で元の位置に復元する。第４実施例はバネ6のみで減衰し、    傾斜配置されたバネの振幅のみの振動減衰であり１６個あるバネ力で元の位置に復元する。